(57)【要約】    【課題】排水管（特に横管）内周壁に固着した堆積物を簡単に除去することの出来る排水管の洗浄方法及び装置を提供する。【解決手段】排水管２内の所定位置から第１の洗浄水噴射手段２０を介し排水管２内の上流へ向けて洗浄水を噴射させる第１の洗浄水噴射工程と、該第１の洗浄水噴射工程終了後、排水管２内の所定位置よりも上流の位置から第２の洗浄水噴射手段３０を介し排水管２内の下流へ向けて洗浄水ＣとエァーＤを噴射する第２の洗浄水噴射工程とにより、排水管２内の洗浄を行うようにしたものである。  【選択図】  図６
2009148651.tif 000002
【特許請求の範囲】
【請求項１】
高圧の洗浄水を排水管内に噴射して該排水管内を洗浄するようにした排水管の洗浄方法において、
前記排水管内の所定位置から第１の洗浄水噴射手段を介し前記排水管内の上流へ向けて洗浄水を噴射させる第１の洗浄水噴射工程と、
該第１の洗浄水噴射工程終了後、前記排水管内の所定位置よりも上流の位置から第２の洗浄水噴射手段を介し前記排水管内の下流へ向けて洗浄水とエァーを噴射する第２の洗浄水噴射工程と
を少なくとも具えたことを特徴とする排水管の洗浄方法。
【請求項２】
前記第１の洗浄水噴射手段は、前記排水管内へ洗浄水を噴射する第１の噴射ノズルからなり、前記第２の洗浄水噴射手段は、前記排水管内へ洗浄水とエァーを噴射する第２の噴射ノズルからなることを特徴とする請求項１に記載の排水管の洗浄方法。
【請求項３】
前記第１の噴射ノズルは、略円錐形状のノズル本体からなり、その内部には、前記排水管の上流方向へ向け洗浄水を噴射する複数の噴射孔が穿設されていることを特徴とする請求項２に記載の排水管の洗浄方法。
【請求項４】
前記第２の噴射ノズルは、外側を構成する第１のノズル本体と、該第１のノズル本体の中心部に同心状に配設された第２のノズル本体とからなり、前記第１のノズル本体の中心部には、前記第２の噴射ノズルの噴射孔として機能する第１の噴射孔が穿設され、該第１の噴射孔の中心部にには、該第１の噴射孔よりも径の小さい第２の噴射孔が配設され、該第２の噴射孔は前記第２のノズル本体の中心部に穿設されているとともに、前記第１のノズル本体の周面には、円周方向に沿って所定のピッチで、前記第１の噴射孔に連通する複数のエァー吸引孔が穿設されていることを特徴とする請求項２に記載の排水管の洗浄方法。
【請求項５】
高圧の洗浄水を排水管内に噴射して該排水管内を洗浄するようにした排水管の洗浄装置において、
前記排水管内の所定位置から前記排水管内の上流へ向けて洗浄水を噴射させる第１の噴射ノズルと、
前記第１の噴射ノズルの噴射位置よりも上流の位置から前記排水管内の下流へ向けて洗浄水とエァーを噴射する第２の噴射ノズルと、
前記第１の噴射ノズルへ洗浄水を圧送するとともに、該第１の噴射ノズルへの洗浄水の圧送停止の後、前記第２のノズルへ洗浄水を圧送する洗浄水圧送手段と
を少なくとも具えたことを特徴とする排水管の洗浄装置。
【請求項６】
前記第１の噴射ノズルは、略円錐形状のノズル本体からなり、その内部には、前記排水管の上流方向へ向け洗浄水を噴射する複数の噴射孔が穿設されていることを特徴とする請求項５に記載の排水管の洗浄装置。
【請求項７】
前記第２の噴射ノズルは、外側を構成する第１のノズル本体と、該第１のノズル本体の中心部に同心状に配設された第２のノズル本体とからなり、前記第１のノズル本体の中心部には、前記第２の噴射ノズルの噴射孔として機能する第１の噴射孔が穿設され、該第１の噴射孔の中心部にには、該第１の噴射孔よりも径の小さい第２の噴射孔が配設され、該第２の噴射孔は前記第２のノズル本体の中心部に穿設されているとともに、前記第１のノズル本体の周面には、円周方向に沿って所定のピッチで、前記第１の噴射孔に連通する複数のエァー吸引孔が穿設されていることを特徴とする請求項５に記載の排水管の洗浄装置。
【発明の詳細な説明】
【技術分野】
【０００１】
この発明は、排水管の洗浄方法及び装置に関し、特に高層ビルの排水管を洗浄する排水管の洗浄方法及び装置に関する。
【背景技術】
【０００２】
近年は、特に都市部を中心に１０階以上の高層マンション等のビル群が数多く建設されている。
【０００３】
そして、これら高層ビル群の建設に伴い、その内部に配設された縦本管及び横本管等の各種の排水管の洗浄処理が特に重要視されている。
【０００４】
図８は、従来の排水管の洗浄方法を示す高層ビルの排水管の配管を示す概念図である。
【０００５】
この高層ビルの排水管は、垂直に配設された縦本管１とその下端に接続された横本管２とから構成され、これら縦本管１、横本管２の径は１０センチ以上の大径の排水管により構成されている。
【０００６】
このうち、従来では縦本管１及び横本管２の洗浄は、本願出願人が先に提出した旋回洗浄装置３（特開２００１−１７０５９１号参照）等により行われている。
【０００７】
即ち、縦本管１を洗浄する場合は、当該縦本管１の上端１ａに孔１ｂを穿設し、その中に高圧の洗浄水４を噴射する噴射ノズル５及び当該噴射ノズル５に高圧の洗浄水を供給する洗浄ホース６を挿入し、これにより、噴射ノズル５を縦本管１の上端１ａから下端１ｃまで下降させて洗浄を行う。
【０００８】
その洗浄の際、旋回洗浄装置３により噴射ノズル５から洗浄水４を噴射させつつ、当該洗浄ノズル５を旋回洗浄装置３によりホース６を回転させながらノズル５を旋回させる。
【０００９】
すると、洗浄ノズル５は縦本管１の内周壁に沿って旋回し、噴射ノズル５の先端から噴射された高圧の洗浄水４により縦管１内を洗浄する。即ち、縦本管１内周面に付着した汚物である堆積物を洗浄液により剥離し洗浄する。
【００１０】
一方、洗浄の際、縦本管１内周面から剥離された堆積物は、その後、重力の作用により下方へ落下するので、当該堆積物は縦本管１内に付着し難い傾向にあるが、縦本管１の下端１ｃに接続された横本管２は縦本管１から落下した汚物を略水平方向へ案内させることから、汚物は横本管２の管壁内周面に強固に付着し、そのため汚物の堆積物Ａが出来やすい傾向にある。
【００１１】
このため、横本管２を洗浄するためには、横本管２の上流端２ａ等から、改めて上述した洗浄装置３の噴射ノズル５を挿入して洗浄するが、上述したように、横本管２内には堆積物Ａが管壁の内周面に強固に付着しているから、噴射ノズル５の先端から噴射された高圧の洗浄水４による一回の洗浄作業のみでは横本管２内の堆積物Ａを洗浄し難く、そのため横本管２を洗浄するためには、高圧の洗浄水４による洗浄作業を複数回繰り返すようにしていた。
【特許文献１】特開２００１−１７０５９１号
【発明の開示】
【発明が解決しようとする課題】
【００１２】
ところで、上述した従来の排水管の洗浄方法及び装置では、横本管２内には管壁の内周面に堆積物Ａが強固に付着しているから、噴射ノズル５の先端から噴射された高圧の洗浄水４のみでは横本管２内の堆積物Ａを簡単には洗浄し難く、そのため横本管２を洗浄するためには、高圧の洗浄水４による洗浄作業を複数回に亘って行うようにしており、このため横本管２の洗浄作業が煩雑で困難を極める問題点があった。
【００１３】
この発明は、上述した事情に鑑み、排水管（特に横管）内周壁に固着した堆積物を簡単に除去することの出来る排水管の洗浄方法及び装置を提供することを目的とする。
【課題を解決するための手段】
【００１４】
上述した課題を解決するため、本願の第１の発明では、高圧の洗浄水を排水管内に噴射して該排水管内を洗浄するようにした排水管の洗浄方法において、前記排水管内の所定位置から第１の洗浄水噴射手段を介し前記排水管内の上流へ向けて洗浄水を噴射させる第１の洗浄水噴射工程と、該第１の洗浄水噴射工程終了後、前記排水管内の所定位置よりも上流の位置から第２の洗浄水噴射手段を介し前記排水管内の下流へ向けて洗浄水とエァーを噴射する第２の洗浄水噴射工程とを少なくとも具えている。
【００１５】
また本願の第２の発明は、高圧の洗浄水を排水管内に噴射して該排水管内を洗浄するようにした排水管の洗浄装置において、前記排水管内の所定位置から前記排水管内の上流へ向けて洗浄水を噴射させる第１の噴射ノズルと、前記第１の噴射ノズルの噴射位置よりも上流の位置から前記排水管内の下流へ向けて洗浄水とエァーを噴射する第２の噴射ノズルと、前記第１の噴射ノズルへ洗浄水を圧送するとともに、該第１の噴射ノズルへの洗浄水の圧送停止の後、前記第２のノズルへ洗浄水を圧送する洗浄水圧送手段とを少なくとも具えている。
【発明の効果】
【００１６】
上述した排水管の洗浄方法及び装置の第１の発明によると、排水管の所定位置から排水管の上流へ向けて第１の洗浄水噴射手段を介し洗浄水を噴射させる第１の洗浄水噴射工程により、排水管（特に横管）内に固着した堆積物を排水管の上流方向へ向けて剥離させ、そして、この第１の洗浄水噴射工程が終了した後、排水管の下流へ向け第２の洗浄水噴射手段を介し洗浄水とエァーを噴射する第２の洗浄水噴射工程により、剥離した堆積物と洗浄水とを混合させ、かつこの堆積物を旋回流として排水管の下流へ勢いよく搬送するので、排水管の管内周壁に固着した堆積物の洗浄作業が極めて簡単となる。
【００１７】
また、上述した排水管の洗浄方法及び装置の第２の発明によると、排水管の所定位置から排水管の上流へ向けて洗浄水を噴射させる第１の噴射ノズルにより、排水管（特に横管）内に固着した堆積物を排水管の上流方向へ向けて剥離させ、そして、この第１の噴射ノズルによる洗浄水の噴射が終了した後、排水管の下流へ向けて洗浄水とエァーを噴射する第２の噴射ノズルにより、剥離した堆積物と洗浄水とを混合させ、かつこの混合物を旋回流として排水管の下流へ勢いよく搬送するので、排水管の管内周壁に固着した堆積物の洗浄作業が極めて簡単となる。
【発明を実施するための最良の形態】
【００１８】
以下、この発明に係る排水管の洗浄方法及び装置の一実施例を詳述する。
【００１９】
図１はこの発明に係る排水管の洗浄方法を実施する洗浄装置１０を示す概念図で図８と同一部分を同一符号で示す。
【００２０】
この排水管の洗浄装置１０（以下単に洗浄装置と言う）は、横本管２の下流所定位置から該横本管２の上流へ向けて洗浄水を噴射させる第１の洗浄水噴射手段である第１の噴射ノズル２０と、この第１の噴射ノズル２０の位置よりも上流の横本管２の位置から当該横本管２の下流へ向けて洗浄水を噴射する第２の洗浄水噴射手段である第２の噴射ノズル３０と、この各噴射ノズル１０，２０へ所定のタイミングで交互に洗浄水を高圧で圧送する洗浄水圧送手段４０とから構成されている。
【００２１】
なお、前記第１の噴射ノズル２０には、前記洗浄水圧送手段４０から圧送された洗浄水を前記第１の噴射ノズル２０へ供給する高圧ホース４１が連結されており、また前記第２の噴射ノズル３０には、前記洗浄水圧送手段４０から圧送された洗浄水を前記第２の噴射ノズル３０へ供給する高圧ホース４２が連結されている。
【００２２】
なお、この二本の高圧ホース４１、４２は前記洗浄水圧送手段４０により矢印の如く、引き出しと引き戻し操作が可能であり、また、この二本の高圧ホース４１、４２は連結部材４３により互いに連結固定され、これにより第１の噴射ノズル２０と第２の噴射ノズル３０は、一定の間隔Ｌを設け第１の噴射ノズル２０が第２の噴射ノズル３０よりも排水管内におい常に下流に位置するように設定されている。
【００２３】
一方、前記第１の噴射ノズル２０は、その断面図で示す図２のように、略円錐形状のノズル本体２１から構成され、その内部には、排水管の上流方向へ向け洗浄水を噴射する複数の噴射孔２２が穿設されている。
【００２４】
したがって、この第１の噴射ノズル２０のノズル本体２１によると、前記噴射孔２２から洗浄水Ｂが噴射されると、当該ノズル本体２１は噴射ノズル孔から噴射される前記洗浄水Ｂの噴射圧力により、ノズル本体２１を排水管２の下流方向へ搬送することとなる。
【００２５】
また、第２の噴射ノズル３０は、図３の断面図で示すように、外側を構成する第１のノズル本体３１と、この第１のノズル本体３１の中心部に同心状に配設された第２のノズル本体３２とから構成されている。
【００２６】
このうち第１のノズル本体３１の中心部には、第２の噴射ノズル３０の噴射孔として機能する第１の噴射孔３３が穿設され、この第１の噴射孔３３の中心部にには、当該噴射孔３３よりも径の小さい第２の噴射孔３４が配設され、この第２の噴射孔３４は前記第２のノズル本体３２の中心部に穿設されている。
【００２７】
また前記第１のノズル本体３１の周面には、円周方向に沿って所定のピッチで、前記第１の噴射孔３３に連通する複数のエァー吸引孔３５が穿設されている。
【００２８】
上述した、第２の噴射ノズル３１によると、図３で示すように、高圧ホース４１を介して洗浄水Ｃが圧送され、第２のノズル本体３２の第２の噴射孔３４から洗浄水Ｃが噴射されると、その噴射された洗浄水Ｃが第１の噴射孔３３内を通過する際の負圧により、排水管内のエァーをエァー吸引孔３５から吸引し、噴射エァーＤとして洗浄水Ｃと同時に前記第１の噴射孔３３から噴射される。
【００２９】
このように、洗浄水Ｃと噴射エァーＤとが同時に第１の噴射孔３３から噴射されると、噴射される洗浄水Ｃはその周囲を流れるエァーＤによりその直進性が高められ、噴射圧力の減衰が少ない状態で第１の噴射孔３３から高圧で噴射されることとなる。
【００３０】
次に上述した排水管洗浄装置１０による排水管の洗浄方法を以下に詳述する。
【００３１】
まず、図４に示すように、図１に示す洗浄水圧送手段４０から高圧ホース４１を介し第１の噴射ノズル２０のみへ洗浄水を圧送する。
【００３２】
すると、第１の噴射ノズル２０は、噴射孔２２から噴射される高圧の洗浄水Ｂの噴射圧力により、横本管２内をその下流へ向けて移動する（第１の洗浄水噴射工程）。
【００３３】
その際、この実施例では第２の噴射ノズル３０も、連結部材４３を介して第１の噴射ノズル２０と共に横本管２の下流へ移動する。
【００３４】
なお、図５で示すように、第１の噴射ノズル２０から洗浄水Ｂが噴射されると洗浄水Ｂは横本管２の内周面に固着した堆積物Ａと混合し、前記横本管２の壁面から剥離させる。
【００３５】
その後、図６で示すように、洗浄水圧送手段４０（図１）により第１の噴射ノズル２０への洗浄水の圧送を停止し、次に、洗浄水圧送手段４０から高圧ホース４２を介し第２の噴射ノズル３０のみへ洗浄水を圧送し、当該第２の噴射ノズル３０の第１の噴射孔３３から洗浄水ＣとエアーＤを噴射する（第２の洗浄水噴射工程）。
【００３６】
この図６で示す、第２の噴射工程によると、第２の噴射ノズル３０により洗浄水ＣとエァーＤを噴射すると、図３に示すように、この第２の噴射ノズル３０の噴射孔３３から噴射される洗浄水Ｃは、周囲を流れるエァーＤによりその直進性が高められ、噴射圧力の減衰が少ない状態で第１の噴射孔３３から高圧で噴射されるとともに、図６で示すように、横本管２の下流域２Ｃは洗浄水ＣとエァーＤの強力な噴射により負圧状態となるので、洗浄水ＣとエァーＤの噴射圧力により横本管２に固着した堆積物Ａは迅速に剥離され、洗浄水と混合して旋回流となり、堆積物Ａと混合した水のかたまりが、負圧となった横本管２の下流域２Ｃへ向けて一気に搬送され、横本管２の洗浄が行われることとなる。
【００３７】
したがって、上述した排水管の洗浄方法及び装置によると横本管２の管内周壁に堆積し固着した汚物Ａの洗浄作業が極めて簡単となる。
【００３８】
なお、上記実施例では、第１の噴射ノズル２０と第２の噴射ノズル３０とを連結部材４３を介して連結するようにしたが、この発明は上記実施例に限定されることなく、図７で示すように、第２の噴射ノズル３０のみを、横本管２の上流に取付け部材５０を介して取付け固定し、第１の噴射ノズル２０が第２の噴射ノズル３０の下流所定距離Ｌだけ移動して位置決めされたとき、前述したのと同様の手順により、図１に示す洗浄水圧送手段４０から高圧ホース４１を介し第１の噴射ノズル２０のみへ洗浄水を圧送し、次に第１の噴射ノズル２０による洗浄水の噴射停止後、洗浄水圧送手段４０から高圧ホース４２を介し第２の噴射ノズル３０のみへ洗浄水を圧送させるようにしても良い。この実施例の場合でも前述したのと同様の排水管の洗浄効果を得ることが出来る。
【００３９】
なお、上記実施例では、洗浄対象の管として横本管２を対象としたが、この発明は上記実施例に限定されることなく、縦管１の洗浄に使用しても良く、排水管の配置対応に限定されることはない。
【産業上の利用可能性】
【００４０】
以上説明したように、この発明は、排水管内周壁に固着した堆積物を簡単に除去することの出来るの排水管の洗浄方法及び装置に適している。
【図面の簡単な説明】
【００４１】
【図１】図１はこの発明に係る洗浄装置の概念図。
【図２】図２は第１の噴射ノズルの概念断面図。
【図３】図３は第２の噴射ノズルの概念断面図。
【図４】図４は、この発明に係る洗浄方法および装置の作用を示す図。
【図５】図５は、この発明に係る洗浄方法および装置の作用を示す図。
【図６】図６は、この発明に係る洗浄方法および装置の作用を示す図。
【図７】図７は、この発明に係る洗浄装置の他の実施例を示す図。
【図８】図６は、高層ビルの配管状態とその洗浄方法を示す図。
【符号の説明】
【００４２】
２…排水管内
１０…排水管の洗浄装置
２０…第１の噴射ノズル（第１の洗浄水噴射手段）
２１…略円錐形状のノズル本体
２２…噴射孔
３０…第２の噴射ノズル（第２の洗浄水噴射手段）
３１…第１のノズル本体
３２…第２のノズル本体
３３…第１の噴射孔
３４…第２の噴射孔
３５…エァー吸引孔
４０…洗浄水圧送手段
Ｂ，Ｃ…洗浄水
Ｄ…エァー
【図８】
2009148651.tif 000003
【図１】
2009148651.tif 000004
【図２】
2009148651.tif 000005
【図３】
2009148651.tif 000006
【図４】
2009148651.tif 000007
【図５】
2009148651.tif 000008
【図６】
2009148651.tif 000009
【図７】
2009148651.tif 000010